(57)【要約】【課題】  自動的に給湯準備し、介助者の労力を軽減し、給湯準備を確実に行なえる事前給湯準備式入浴装置を提供すること。【解決手段】  給湯機構２を有する入浴装置３において、給湯機構２は、時計機能４と、メモリ５と、給湯電磁弁９とを有し、給湯機構２は、メモリ５に記憶された日時に給湯が終了するように当該日時より所定時間前に給湯を開始し、又は、メモリ５に記憶された日時に給湯を開始し、又は、メモリ５に記憶された時間が経過すると給湯を開始し、所定水位になると自動停止して給湯を終了し事前に給湯準備をすることを特徴とする事前給湯準備式入浴装置である。【選択図】図１
2008055051.tif 000002
【特許請求の範囲】
【請求項１】
給湯機構２を有する入浴装置３において、給湯機構２は、時計機能４と、メモリ５と、ミキシング８９と、給湯電磁弁９とを有し、
給湯機構２は、メモリ５に記憶された日時に給湯が終了するように当該日時より所定時間前に給湯を開始し、又は、メモリ５に記憶された日時に給湯を開始し、又は、メモリ５に記憶された時間が経過すると給湯を開始し、所定水位になると自動停止して給湯を終了し事前に給湯準備をすることを特徴とする事前給湯準備式入浴装置。
【請求項２】
メモリ５に、一週の曜日毎の時刻を設定できることを特徴とする請求項１記載の事前給湯準備式入浴装置。
【請求項３】
メモリ５に、一日に複数件の時刻を設定できることを特徴とする請求項１又は２記載の事前給湯準備式入浴装置。
【請求項４】
給湯機構２は、メモリ５に記憶した給湯温度値を維持するようにミキシング８９を制御し給湯する給湯温度制御機能７を有することを特徴とする請求項１乃至３記載の事前給湯準備式入浴装置。
【請求項５】
給湯機構２は、メモリ５に記憶した入浴装置内貯湯温度値を維持するようにミキシング８９を制御し増し湯する保温制御機能８を有することを特徴とする請求項１乃至４記載の事前給湯準備式入浴装置。
【請求項６】
現在日時、及び、給湯終了日時又は給湯開始日時又は給湯開始までの時間を表示する表示部１１を有することを特徴とする請求項１乃至５記載の事前給湯準備式入浴装置。
【請求項７】
光、又は音、又は画像で入浴準備の完了を入浴者及び介助者に報知する報知部１２を有することを特徴とする請求項１乃至６記載の事前給湯準備式入浴装置。
【発明の詳細な説明】
【技術分野】
【０００１】
本発明は、身体障害者や要介護老人等（以下入浴者という）を入浴させる事前給湯準備式入浴装置に関する。
【背景技術】
【０００２】
従来の技術の特許文献１に、タイマーの時間測定結果が設定時間に到達すると給湯弁及び排水弁を閉じる入浴装置が開示されている。この構成によれば入浴時に湯が溢れ出ずコストダウンになる。
【特許文献１】特開平１１−１６９４２３号公報
【発明の開示】
【発明が解決しようとする課題】
【０００３】
従来技術に係る身体障害者用入浴装置には、メモリに記憶した日時に給湯弁を開け、事前に給湯準備する構成は開示されていない。
浴槽に自動的に給湯を準備することは出来ず、給湯準備忘れを防ぐ構成も無い、等の難点がある。
【課題を解決するための手段】
【０００４】
本発明の目的は、自動的に給湯準備し、介助者の労力を軽減でき、給湯準備を確実に行なえる事前給湯準備式入浴装置１を提供することにある。
即ち、本発明は、給湯機構２を有する入浴装置３において、給湯機構２は、時計機能４と、メモリ５と、ミキシング８９と、給湯電磁弁９とを有し、給湯機構２は、メモリ５に記憶された日時に給湯が終了するように当該日時より所定時間前に給湯を開始し、又は、メモリ５に記憶された日時に給湯を開始し、又は、メモリ５に記憶された時間が経過すると給湯を開始し、所定水位になると自動停止して給湯を終了し事前に給湯準備をすることを特徴とする事前給湯準備式入浴装置である。
又、メモリ５に、一週の曜日毎の時刻を設定できる。
更に、メモリ５に、一日に複数件の時刻を設定できる。
更に又、給湯機構２は、メモリ５に記憶した給湯温度値を維持するようにミキシング８９を制御し給湯する給湯温度制御機能７を有する。
又、給湯機構２は、メモリ５に記憶した入浴装置内貯湯温度値を維持するようにミキシング８９を制御し増し湯する保温制御機能８を有する。
更に、現在日時、及び、給湯終了日時又は給湯開始日時又は給湯開始までの時間を表示する表示部１１を有する。
更に又、光、又は音、又は画像で入浴準備の完了を入浴者及び介助者に報知する報知部１２を有する。
【発明の効果】
【０００５】
本発明に係る給湯機構２は、メモリ５に記憶された日時に給湯が終了するように当該日時より所定時間前に給湯を開始し、又は、メモリ５に記憶された日時に給湯を開始し、又は、メモリ５に記憶された時間が経過すると給湯を開始し、所定水位になると自動停止して給湯を終了し事前に給湯準備をするから、
給湯準備が自動的にでき介助者の労力を軽減でき、又、給湯準備の忘れを防ぐことができ、好都合である。
又、入浴時間に合わせて適切な温度の湯で給湯開始から停止まで自動で行なう為、湯の入れ過ぎを防ぎ節水となり、好都合である。
【０００６】
本発明は、メモリ５に、一週の曜日毎の時刻を設定できるから、給湯準備を一週間サイクルの作業に対応でき、好都合である。
又、各施設に合わせた入浴スケジュール設定ができ、好都合である。
【０００７】
本発明は、メモリ５に、一日に複数件の時刻を設定できるから、給湯準備を例えば一日の午前と午後のそれぞれの開始時刻を設定し当該時刻にも対応させることができ、好都合である。
又、各施設に合わせた入浴スケジュール設定ができ、又、個人入浴において、入浴スケジュールを全て設定することができ、好都合である。
【０００８】
本発明に係る給湯機構２は、メモリ５に記憶した給湯温度値を、維持するようにミキシング８９を制御し給湯する給湯温度制御機能７を有するから、好適な湯温を準備でき、能率よく安全に入浴でき、好都合である。
【０００９】
本発明に係る給湯機構２は、メモリ５に記憶した入浴装置内貯湯温度値を維持するようにミキシング８９を制御し増し湯する保温制御機能８を有するから、浴槽１３内の湯の温度を好適な湯温に維持でき、いつでも快適に安全に入浴でき、好都合である。
【００１０】
本発明は、現在日時、及び、給湯開始日時又は給湯終了日時又は給湯開始までの時間を表示する表示部１１を有するから、現在日時、及び設定した日時又は時間が表示されるので、浴槽１３の作動状況が分かり易くそれ故に扱い易く、好都合である。
【００１１】
本発明は、光、又は音、又は画像で入浴準備の完了を入浴者及び介助者に報知する報知部１２を有するから、給湯準備の完了が即座に分かり、待機時間のロスが減り、速やかに能率よく入浴装置を使用でき、好都合である。
【発明を実施するための最良の形態】
【００１２】
自動的に給湯準備し、介助者の労力を軽減し、給湯準備を確実に行なえることを目的とする事前給湯準備式入浴装置１を、給湯機構２を有する入浴装置３において、給湯機構２は、時計機能４と、メモリ５とを有し、給湯機構２は、メモリ５に記憶された日時に給湯が終了するように当該日時より所定時間前に給湯を開始し、又は、メモリ５に記憶された日時に給湯を開始し、又は、メモリ５に記憶された時間が経過すると給湯を開始し、所定水位になると自動停止して給湯を終了し事前に給湯準備をするものとして、実現した。
【実施例１】
【００１３】
図１、２に事前給湯準備式入浴装置１の実施例１を示しており、図１は電気的構成のブロック図、図２は左側面図を示している。
実施例１は、給湯機構２と、入浴装置３と、表示部１１と、報知部１２と、排水機能２８等でなる。
給湯機構２は、給湯機能６と、ミキシング８９と、給湯電磁弁９と、給湯温度センサ１０等でなる。
給湯機能６は、時計機能４と、メモリ５等と、給湯電磁弁開閉機能２４と、保温制御機能８等でなる。
【００１４】
給湯機構２は、入浴装置３の浴槽１３に給湯を行なうものである。
時計機能４は、現在時間に係る信号を出力するものである。
給湯機能６のメモリ５は給湯終了日時設定機能１４である。
【００１５】
メモリ５の第１の設定態様では、給湯機構２はメモリ５に記憶された日時に給湯を終了する。
メモリ５に記憶された日時に給湯が終了するように、当該日時より所定時間前に給湯を開始し、入浴装置３を使用時その事前に給湯準備をするものである。
メモリ５はその他に、給湯開始日時設定機能１５、経過時間設定機能１６、給湯温度設定機能１７、浴槽温度設定機能１８等を有する。
【００１６】
給湯機能６は、給湯所要時間演算機能１９と、給湯開始日時演算機能２０と、一日複数件記憶機能２１と、一週間更新機能２２と、日時比較機能２３と、給湯電磁弁開閉機能２４等を有する。
【００１７】
一日複数件記憶機能２１は、一日に複数の日時を記憶できる機能である。
一週間更新機能２２は、一週間の期間の各曜日に所定時刻を記憶でき、一週間ごとに更新する機能である。
ミキシング８９は湯源２９と水源３０を得て、これらを混合した所定温度になすものである。ミキシング８９から出る湯は、給湯温度センサ１０と給湯電磁弁９を経由して浴槽１３へ注がれる。
給湯温度センサ１０は、ミキシング８９から出力される湯の温度を検出するものである。
【００１８】
給湯電磁弁９は、ミキシングされた湯を得て、この湯を通過させ又は遮断するものである。給湯電磁弁９を通過した湯は浴槽１３へ至る。
【００１９】
給湯温度制御機能７は、給湯温度センサ１０と、給湯温度設定機能１７と、湯温比較機能３３と、給湯電磁弁開閉機能２４と、ミキシング８９と、給湯電磁弁９とからなり、給湯温度が給湯温度設定機能１７に設定した温度になるように、ミキシング８９を制御するものである。
【００２０】
保温制御機能８は、浴槽温度設定機能１８と、浴槽温度センサ３１と、浴槽湯温比較機能４４と、給湯電磁弁開閉機能２４と、ミキシング８９と、給湯電磁弁９とからなり、浴槽１３内貯湯の湯温が浴槽温度設定機能１８に設定した温度になるように、ミキシング８９を制御し増し湯するものである。
【００２１】
入浴装置３は、浴槽１３と、上水位センサ２５と、下水位センサ４６と、浴槽温度センサ３１と、手動排水弁３２と、排水電磁弁２７とからなる。
前記排水機能２８は、浴槽１３内の湯の存在を検出する下水位センサ４６と、排水電磁弁開閉機能２６と、排水電磁弁２７とからなる。前記排水機能２８は給湯を開始する時に、浴槽１３に湯が残っていた場合、その残湯を排水するものである。
【００２２】
表示部１１は現在日時表示器３４と給湯終了日時表示器３５である。
表示部１１には上記のものの他に、給湯開始日時表示器３６、給湯開始までの時間表示器３７、給湯温度表示器３８、浴槽設定温度表示器３９、浴槽内湯温表示器４０等がある。
【００２３】
報知部１２は、浴槽１３に湯が満ち給湯が完了したことを報知するものであり、光りを発生する発光器４１、音を発生する発音器４２、画面に表示する表示画面４３等である。
【００２４】
メモリ５の第２の設定態様では、該給湯機構２はメモリ５に記憶された日時に給湯を開始し、事前に給湯準備をするものである。
メモリ５の第３の設定態様では、該給湯機構２はメモリ５に記憶された時間が経過すると給湯を開始し、事前に給湯準備をする。
尚、図１中、４５は室温計である。
【００２５】
実施例１を使用するに際して、メモリ５の設定を行なう。
メモリ５の給湯終了日時設定機能１４へ、給湯を終了する所定曜日と所定時刻を設定する。
表示部１１の現在日時表示器３４は、現在日時を表示する。
表示部１１の給湯終了日時表示器３５は、設定した所定曜日と、設定した所定時刻を表示する。
【００２６】
給湯所要時間演算機能１９は、湯・水の温度及び流量、室温等を考慮して給湯に要する時間を演算する。
給湯開始日時演算機能２０は、設定した給湯完了時刻より、前段で演算した時間だけ遡った時刻を演算する。
【００２７】
一週間更新機能２２は、一週間毎に更新する。
時刻は1週の曜日ごとに設定する。
一日複数件記憶機能２１は、メモリ５の件数を複数件記憶する。
時刻は一日に、複数個設定できる。
【００２８】
メモリ５の給湯温度設定機能１７で、給湯温度を設定する。
給湯を開始する時、残湯を検出する。残湯が有ると、排水電磁弁２７を開け、残湯を浴槽１３から排出する。
【００２９】
給湯終了日時表示器３５は給湯終了日時設定機能１４に設定した給湯終了日時を表示する。
現在日時表示器３４は現在日時を表示する。
給湯温度表示器３８は、給湯温度設定機能１７に設定した温度を表示する。
【００３０】
時計機能４の時間が、設定した所定曜日の設定した所定時刻に至ると日時比較機能２３が信号を出力する。
給湯電磁弁開閉機能２４が作動し、給湯電磁弁９を開ける。
【００３１】
メモリ５の給湯温度設定機能１７に設定した温度の湯が浴槽１３に入る。
給湯温度センサ１０の出力と、給湯温度設定機能１７の出力とを温度比較機能３３が比較し、両出力が一致するようにミキシング８９が作動し、入浴適温の湯を浴槽１３へ供給する。
湯が満ちると上水位センサ２５が作動する。
【００３２】
上水位センサ２５は、給湯電磁弁開閉機能２４を作動させ、給湯電磁弁９を閉じ、給湯を止める。
報知部１２の発光器４１は光を発生し、発音器４２は音を発生し、表示画面４３は画像を表示し、入浴者及び介助者に入浴準備完了を報知する。
入浴者は浴槽１３に入り入浴を行なう。
【００３３】
保温制御機能８は、浴槽内湯温を浴槽温度設定機能１８にて設定した湯温に維持するが、その際、浴槽温度センサ３１の出力と、浴槽温度設定機能１８の出力が、湯温比較機能３３で比較される。
【００３４】
湯温比較機能３３の出力は給湯電磁弁開閉機能２４に至り、給湯電磁弁開閉機能２４は、浴槽温度設定機能１８にて設定した温度を保持するように、ミキシング８９を作動させ、給湯電磁弁９を開けて増し湯し、浴槽１３内の湯温を制御する。
浴槽設定温度表示器３９は浴槽温度設定機能１８に設定した湯温を表示する。
浴槽内湯温表示器４０は浴槽１３内の湯の温度を表示する。
【００３５】
入浴中の入浴者は、適宜時間が経過すると浴槽１３から退出し、入浴を終わる。
当日の入浴作業を全て終了する時は、手動排水弁３２を開けて、浴槽１３内の湯を排水する。
【００３６】
メモリ５のその他の設定は、該メモリ５の給湯開始日時設定機能１５に、給湯を開始する日時を設定し記憶させる。
給湯開始日時表示器３６は給湯開始日時を表示する。
設定した日時に、時計機能４の日時が一致すると給湯を開始し、事前に給湯準備をする。浴槽１３に湯が満ちると上水位センサ２５が作動して給湯が停止する。
【００３７】
或いは、メモリ５の経過時間設定機能１６に、現在から給湯開始までの経過時間を設定し記憶させる。
給湯開始までの時間表示器３７は現在から給湯開始までの時間を表示する。
設定した時間が経過すると給湯を開始し、事前に給湯準備をする。浴槽１３に湯が満ちると上水位センサ２５が作動して給湯が停止する。
【実施例２】
【００３８】
図３、４に事前給湯準備式入浴装置１の実施例２を示しており、実施例１に示す入浴装置３を、浴槽１３とタンク４８と一方流通式の転湯機構７３で構成したものに代える。図３は電気的構成のブロック図、図４は斜視図を示している。
【００３９】
実施例２に係る給湯機構２は、メモリ５に記憶された日時に給湯が終了するように当該日時より所定時間前に給湯を開始し、所定水位になると自動停止して給湯を終了し事前に給湯準備をする。実施例２では、給湯機構２から給湯される湯は、タンク４８に自動供給される。タンク４８に湯が満ると、給湯準備完了を報知部１２が光、音又は画像で報知する。
【００４０】
保温制御機能８は、タンク４８内の貯湯の温度値を維持するように給湯電磁弁９を制御しタンク４８へ適宜給湯し保温する。
入浴の際に、正面のドア５０が閉まっている場合は退浴スイッチ５１を押し、該ドア５０を下降させて開ける。
【００４１】
浴槽１３の底壁１３ａは床面から略４０センチである。介助者は、入浴者をハンドシャワー５２にて予洗した後底壁１３ａに腰掛けさせ、次に、入浴者の下肢を持って全身を浴槽１３内に入れる。底壁１３ａを前記の適宜高さとしているので、介助者は移動介助や浴中洗浄介助を行ない易い。
次に入浴スイッチ５３を押しドア５０を上昇させ閉める。
ドア５０が閉まると続いて転湯機構７３が作動し、タンク４８の湯が浴槽１３へ転湯する。その際、先に、転湯電磁弁５４が開きタンク４８の湯が浴槽１３へ落差により自然流入し、暫時後、転湯電磁弁５４が閉まると同時にポンプ５５が駆動し、タンク４８の湯が強制流入される。浴槽１３が満水に近づくと、浴槽上水位センサ５６が作動しポンプ５５は停止し、転湯を終わる。
転湯は、タンク４８の貯湯を浴槽１３へ移すものであり、短時間（＝具体的には約1分）で行なえる。
【００４２】
転湯により浴槽１３に湯が満ち入浴が行なわれる。
入浴中に、タンク４８に次の入浴者に用いる湯を自動給湯する。
所定時間後退浴するがその場合には、退浴スイッチ５１を押す。退浴スイッチ５１を押すと、先ず、浴槽１３内の湯が浴槽排水電磁弁４７から排水され、浴槽１３が空になるとドア５０が下降し開く。
入浴者は、浴槽１３から下肢を出し、腰掛け姿勢になり、次に浴槽１３から離れ、入浴を終わる。
【００４３】
実施例２の使用を終了する時は電源スイッチ６７を切る。電源スイッチ６７を切ると、排水電磁弁２７及び浴槽排水電磁弁４７が開弁し、湯が浴槽１３、タンク４８及び配管８０に残留せず、衛生的である。
実施例２は入浴者が浴槽１３に入る時ドア５０を開けるため、浴槽１３に併設したタンク４８に湯を貯め、その湯を、入浴者が浴槽１３に入りドア５０を閉めた後、浴槽１３へ移し、入浴している間に、タンク４８に次の入浴者に使用する新しい湯を満たすというシステムであるから、入浴しようとする時には、タンク４８に湯が事前に自動的に準備されているので、速やかに能率よく衛生的に複数人数に対して入浴作業を行なえる。
【００４４】
図３中、４９は溢水口、５７は転湯制御器、５８はドア５０を昇降させるアクチュエータ、５９はアクチュエータ制御器、６０はドア５０を昇降可能に保持するスライダ、６１は増し湯弁、６２は増し湯口、６３はシャワー用給湯電磁弁、６４はシャワー釦、６５は増し湯スイッチ、６６は転湯作動中の時及びドア閉作動中の時に点灯する入浴準備ランプ、６８は停電時にドア５０を強制的に開ける停電時ドア開スイッチ、６９は停止スイッチ、７０はシャワー増し湯温表示器、７１はシャワー増し湯温設定器である。
【実施例３】
【００４５】
図５、６に事前給湯準備式入浴装置１の実施例３を示しており、実施例１に示す入浴装置３を、浴槽１３とタンク４８と両方流通式の転湯機構７３とで構成したものに代える。図５は電気的構成のブロック図、図６は斜視図を示している。
【００４６】
実施例３に係る給湯機構２は、メモリ５に記憶された日時に給湯が終了するように当該日時より所定時間前に給湯を開始し、所定水位になると自動停止して給湯を終了し事前に給湯準備をする。実施例３では、給湯機構２から給湯される湯は、タンク４８に自動供給される。タンク４８に湯が満ちると、給湯準備完了を報知部１２が光、音又は画像で報知する。
【００４７】
保温制御機能８は、タンク４８内の貯湯の温度値を維持するように給湯電磁弁９を制御しタンク４８へ適宜給湯し保温する。
入浴の際介助者は、正面のドア５０の取っ手７４を引き、開ける。
介助者は、分離式車椅子７５に乗った入浴者をハンドシャワー５２にて予洗した後、分離式車椅子７５の乗座部７６及び入浴者を、台車部７７から分離して浴槽１３の底壁１３ａ上に移乗させ、浴槽１３に入れる。
分離式車椅子７５の台車部７７を底壁１３ａ下に潜らせ待機させる。
【００４８】
次に取っ手７４を持ってドア５０を閉める。
ドア５０を閉めた後、入浴スイッチ５３を押し、タンク４８の湯を浴槽１３へ転湯する。入浴スイッチ５３を押すと、浴槽電磁弁７８が開き、同時にポンプ５５が駆動し、タンク４８の湯が浴槽１３へ流入する。
浴槽１３が満水に近づくと、浴槽上水位センサ５６が作動しポンプ５５は停止し、浴槽電磁弁７８が閉まり、転湯を終わる。
転湯は、タンク４８の貯湯を浴槽１３へ移し、或いは、浴槽１３の貯湯をタンク４８へ移すものであり、短時間（＝具体的には１分以内）で行なえる。
【００４９】
転湯により浴槽１３に湯が満ち入浴が行なわれる。
所定時間後退浴スイッチ５１を押し退浴する。退浴スイッチ５１を押すと、タンク電磁弁７９が開き、同時にポンプ５５が駆動し、浴槽１３の湯がタンク４８へ循環流入する。
浴槽１３が空になると、浴槽下水位センサ７２が作動しポンプ５５は停止し、タンク電磁弁７９が閉まり、転湯を終わる。
浴槽１３が空になったらドア５０を開ける。
【００５０】
介助者は入浴者が乗った乗座部７６を浴槽１３から引き出す。乗座部７６を引き出すと台車部７７に自動的に連結しつつ台車部７７に載設され分離式車椅子７５を形成する。分離式車椅子７５を浴槽１３から離し、入浴を終わる。
実施例３の使用を全て終了する時は電源スイッチ６７を切る。電源スイッチ６７を切ると、排水電磁弁２７及び浴槽排水電磁弁４７が開弁し、湯が浴槽１３、タンク４８及び配管８０に残留せず、衛生的である。
【００５１】
実施例３は入浴者が浴槽１３に入る時ドア５０を開けるため、浴槽１３に併設したタンク４８に湯を貯め、その湯を、入浴者が浴槽１３に入りドア５０を閉めた後、浴槽１３へ移し、退浴時に、浴槽１３の湯をタンク４８へ戻し、この湯を、加温し殺菌し濾過して再使用するシステムであるから、入浴時にはタンク４８に湯が、事前に自動的に準備され或いは浴槽１３との間の循環により準備されるので、湯量及びエネルギーの節減が図れて経済的に、速やかに能率よく複数人数に対して入浴作業を行なえる。
【実施例４】
【００５２】
図７に示す実施例４は、実施例１に示す入浴装置３を、順送式入浴装置８２に代えたものである。
順送式入浴装置８２は、昇降浴槽８３と、一方台車８４ａと、他方台車８４ｂと、台車８４の上部に載置される担架８５とからなる。担架８５は、台車８４の上部から昇降浴槽８３の上部へ移乗され、又、昇降浴槽８３の上部から台車８４の上部へ移乗される。
【００５３】
実施例４では、給湯機構２から給湯される湯は、昇降浴槽８３に自動供給される。給湯機構２は、メモリ５に記憶された日時に給湯が終了するように当該日時より所定時間前に給湯を開始し、所定水位になると自動停止して給湯を終了し事前に給湯準備をする。昇降浴槽８３に湯が満ると、給湯準備完了を報知部１２が光、音又は画像で報知する。
【００５４】
入浴時は、一方台車８４ａの上部から昇降浴槽８３の上部へ入浴者を乗せた担架８５を移乗し、続いて、湯を満たした昇降浴槽８３を上昇させ、入浴を行なう。退浴時は、昇降浴槽８３を下降させ、その後、担架８５を他方台車８４ｂへ移乗し、入浴者を他方台車８４ｂで適宜場所へ搬送し、当該入浴者の入浴作業を終了する。
【００５５】
図７中、８６は浴槽レール、８７は台車レール、８８は渡しレールである。
尚、前記渡しレール８８は、台車８４が昇降浴槽８３へ接合している時だけ浴槽レール８６と同方向に向き、台車８４が昇降浴槽８３へ接合していない時は、少し上昇し浴槽レール８６とは直角方向に向く。該渡しレール８８は昇降浴槽８３から担架８５がはみ出すのを阻止し、担架８５の転落を防ぐ。
【産業上の利用可能性】
【００５６】
自動的に給湯準備し、介助者の労力を軽減し、給湯準備を確実に行なえる事前給湯準備式入浴装置１を、給湯機構２を有する入浴装置３において、給湯機構２は、時計機能４と、メモリ５と、給湯電磁弁９とを有し、給湯機構２は、メモリ５に記憶された日時に給湯が終了するように当該日時より所定時間前に給湯を開始し、又は、メモリ５に記憶された日時に給湯を開始し、又は、メモリ５に記憶された時間が経過すると給湯を開始し、所定水位になると自動停止して給湯を終了し事前に給湯準備をするものになして、適用する。
【図面の簡単な説明】
【００５７】
【図１】本発明実施例１のブロック図である。
【図２】本発明実施例１の左側面図である。
【図３】本発明実施例２のブロック図である。
【図４】本発明実施例２の斜視図である。
【図５】本発明実施例３のブロック図である。
【図６】本発明実施例３の斜視図である。
【図７】本発明実施例４の正面図である。
【符号の説明】
【００５８】
１  事前給湯準備式入浴装置
２  給湯機構
３  入浴装置
４  時計機能
５  メモリ
７  給湯温度制御機能
８  保温制御機能
９  給湯電磁弁
１１  表示部
１２  報知部
１３  浴槽
【図１】
2008055051.tif 000003
【図２】
2008055051.tif 000004
【図３】
2008055051.tif 000005
【図４】
2008055051.tif 000006
【図５】
2008055051.tif 000007
【図６】
2008055051.tif 000008
【図７】
2008055051.tif 000009